(57)【要約】      （修正有）【課題】よだれや吐しゃ物、食べこぼしにより衣服を汚さないために、主に乳幼児が用いるよだれ掛けであって、よだれ掛け本体の全周を使用可能とし、かつ、結び紐や面テープ等を使用しないことにより装着が容易にでき、さらに、乳幼児の首への負担を軽減した構造としたよだれ掛けを提供する。【解決手段】略円状の首通し部１０と、該首通し部から放射状に広がるように形成された略輪状のよだれ掛け本体１とからなるよだれ掛けであって、よだれ掛け本体の首通し部縁に当て布を当てて環状に縫合し、該当て布はさらに、よだれ掛け本体に近い略管状のゴム通し部と、よだれ掛け本体から遠い首あたり部とに分かれるように縫合して形成され、ゴム通し部には輪状のゴム紐が封入されていることにより、首通し部が伸縮自在となる構造とした。【選択図】図１
0003188246.tif 000002
【実用新案登録請求の範囲】
【請求項１】
略円状の空間からなる首通し部と、該首通し部から放射状に広がるように形成された略輪状のよだれ掛け本体とからなる、よだれ掛けであって、
前記首通し部の円の直径は１５センチメートル以上３０センチメートル以下、好ましくは２０センチメートル以上２５センチメートル以下であり、
前記よだれ掛け本体の首通し部縁に布幅１．５センチメートル以上３センチメートル以下の当て布を当てて環状に縫合し、
該当て布はさらに、前記よだれ掛け本体に近い略管状のゴム通し部と、前記よだれ掛け本体から遠い首あたり部とに分かれるように縫合して形成され、
前記ゴム通し部には、前記首通し部の円の直径とほぼ同じ長さからなる輪状のゴム紐が封入されていることにより、
前記首通し部が伸縮自在であることを特徴とする、よだれ掛け。
【請求項２】
前記よだれ掛け本体を形成する手段として、少なくとも２枚以上の布地を縫合して形成したことを特徴とする、請求項１記載のよだれ掛け。
【請求項３】
前記当て布を形成する手段として、少なくとも２枚以上の布地を縫合して形成したことを特徴とする、請求項１又は２記載のよだれ掛け。
【請求項４】
前記よだれ掛け本体及び／又は首あたり部に中地素材を詰めて封止したことを特徴とする、請求項１乃至３内の少なくとも何れか一項に記載のよだれ掛け本体。
【考案の詳細な説明】
【技術分野】
【０００１】
本考案は、よだれや吐しゃ物、食べこぼしにより衣服を汚さないために、主に乳幼児が用いるよだれ掛けであって、首通し部をゴム紐の弾性により伸縮自在としたよだれ掛け本体の全周をよだれや吐しゃ物、食べこぼしにより衣服を汚さないために使用可能とし、さらに、ゴム紐による乳幼児の首への負担を軽減した構造としたものである。
【背景技術】
【０００２】
一般的な略Ｕ字型のよだれ掛けは、よだれ掛け本体のうちよだれ等の吸収に使用できる面が限られ、洗濯の頻度が高くなりがちであった。
さらに、乳幼児は食事中等に暴れることが多いため、よだれ掛けが防護していない衣服の肩口などにスプーンが当たって汚れること等が頻繁にある。
このような課題を解決するものとして、実開平０４−７３９１２号公報及び実開平０７−４３４４７号公報に開示された考案並びに特開平１１−２１７０４号公報に開示された発明のように、よだれ掛け本体の全周をよだれや吐しゃ物、食べこぼしにより衣服を汚さないために使用可能とし、肩口も防護する略Ｏ字型のよだれ掛けがある。
しかし、これらは略円弧状のよだれ掛け本体の切欠部両端を、面ファスナーにより係止して略円状に首を周囲して使用する構造であるため、首を通す首通し部のサイズがほぼ一定であり、成長の早い乳幼児の頭部及び首周囲長のサイズの変化や、複数の乳幼児間の使いまわしに柔軟に対応できないという課題があった。
また、乳幼児がよだれ掛けの装着を嫌がり、暴れて抵抗した場合には、保護者等が面ファスナーの係着をすることがスムーズにできないという問題もあった。
【０００３】
上記課題を解決するために、ゴム紐の弾性により首通し部を伸縮自在とした略Ｏ字型のよだれ掛けを使用することが考えられるが、ゴム紐の弾性による圧迫が乳幼児の首への負担となり、乳幼児が余計によだれ掛けの装着を嫌がるという課題があった。
【先行技術文献】
【特許文献】
【０００４】
【特許文献１】実開平０４−７３９１２号公報
【特許文献２】実開平０７−４３４４７号公報
【特許文献３】特開平１１−２１７０４号公報
【考案の概要】
【考案が解決しようとする課題】
【０００５】
本考案は、よだれ掛け本体の全周をよだれや吐しゃ物、食べこぼしにより衣服を汚さないために使用可能とし、かつ、首通し部をゴム紐の弾性により伸縮自在とすることにより装着が容易にでき、さらに、乳幼児の首への負担を軽減した構造に係るよだれ掛けを提供することを目的とする。
【課題を解決するための手段】
【０００６】
第１考案に係るよだれ掛けは、略円状の空間からなる首通し部と、該首通し部から放射状に広がるように形成された布幅８センチメートル以上１５センチメートル以下の略輪状のよだれ掛け本体とからなる、よだれ掛けであって、前記首通し部の円の直径は１５センチメートル以上３０センチメートル以下、好ましくは２０センチメートル以上２５センチメートル以下であり、前記よだれ掛け本体の首通し部縁に布幅１．５センチメートル以上３センチメートル以下の当て布を当てて環状に縫合し、該当て布はさらに、前記よだれ掛け本体に近い略管状のゴム通し部と、前記よだれ掛け本体から遠い首あたり部とに分かれるように縫合して形成され、前記ゴム通し部には、前記首通し部の円の直径とほぼ同じ長さからなる輪状のゴム紐が封入されていることにより、前記首通し部が伸縮自在であることを特徴とする、よだれ掛けである。
第２考案に係るよだれ掛けは、請求項１記載のよだれ掛けにおいて、前記よだれ掛け本体を形成する手段として、少なくとも２枚以上の布地を縫合して形成したことを特徴とする。
第３考案に係るよだれ掛けは、請求項１又は２記載のよだれ掛けにおいて、前記当て布を形成する手段として、少なくとも２枚以上の布地を縫合して形成したことを特徴とする。
第４考案に係るよだれ掛けは、請求項１乃至３内の少なくとも何れか一項に記載のよだれ掛けにおいて、前記よだれ掛け本体及び／又は首あたり部に中地素材を詰めて封止したことを特徴とする。
【０００７】
ここで、略円状の空間からなる首通し部とは、よだれ掛け本体から裁断による切除等の手段で形成された空間をいい、よだれ掛け本体に乳幼児等の使用者が首を通すために用いられる部分をいう。該首通し部の円の直径が１５センチメートル以上３０センチメートル以下、好ましくは２０センチメートル以上２５センチメートル以下であるのは、これより首通し部の円の直径が小さければ、使用者が首を通す十分な空間が得られず、これより首通し部の円の直径が大きければ、使用者が首を通した際に首によだれ掛け本体が十分に密着せず不快な装着感となるからである。特に首通し部の円の直径が２０センチメートル以上２５センチメートル以下のものは、ゴム紐の伸縮力による開閉でほぼ全ての乳幼児の頭部及び首周囲長に対応し、好適な装着性と首を圧迫しない十分な安全性が確保されるサイズとなる点で好ましい。
前記よだれ掛け本体とは、織物、 編み物、レース、フェルト、不織布、合成繊維等の布地で形成された、よだれや吐しゃ物、食べこぼしにより衣服を汚さないための防護部をいい、ガーゼ又はタオル地で形成することが吸水性と肌触りの面から好ましい。
もっとも、前記よだれ掛け本体を、軟性の合成樹脂又はゴム等の素材で形成しても本発明の目的を達成することができ、これらが本発明の技術的範囲に属することは言うまでもない。
また、前記略輪状のよだれ掛け本体とは、本考案に係るよだれ掛け本体の構造を表すための便宜的なものであり、必ずしもよだれ掛け本体が真円形の輪状になっている必要はなく、例えばよだれ掛け本体の外周部は波状のひだ形や、星形、花形に裁断されていても良い。
前記よだれ掛け本体は、１枚の布地で形成しても良いし、２枚以上の布地を合わせて縫合して形成しても良い。２枚以上の布地の裏面同士を合わせて略袋閉じ状に縫合すれば、両面を快適に使用可能なよだれ掛け本体となる。２枚以上の略円弧状の布地同士を組み合わせ、首通し部に該当する一部を縫い合わせて、肩口の開いた略輪状のよだれ掛け本体を形成することもできる。
さらに、２枚以上の布地の間に綿やタオル地等の中地素材を詰めて封止しても良く、吸水性や防寒性を高めたよだれ掛け本体となる。
前記よだれ掛け本体の首通し部縁とは、よだれ掛け本体のうち前記よだれ掛け本体から裁断による切除等の手段で形成された空間に面した部分をいう。
【０００８】
前記当て布とは、よだれ掛け本体と別に裁断された帯状の布であり、これを前記首通し部縁に当てて環状に縫合するものであるが、当該当て布を最初から環状に裁断して前記首通し部縁に当てて縫合してももちろん良い。
前記当て布は、１枚の布を略Ｖ字状に折り、該Ｖ字状の開口に前記よだれ掛け本体の首通し部縁を挟み込んで縫合しても良く、また、２枚の布で前記よだれ掛け本体の首通し部縁を挟み込んで縫合しても良い。
前記よだれ掛け本体に近い略管状のゴム通し部とは、前記当て布のうち首通し部縁の縫合部に近い略半分の幅部分であって、ゴム紐を通すための管状の空間が残るように縫合された部分をいう。ゴム紐を通すための管状の空間が残るように縫製を行うことは、衣類等の分野において広く知られた周知技術であるため、ここでは説明しない。
前記よだれ掛け本体から遠い首あたり部とは、前記当て布のうち首通し部縁の縫合部から遠く、首通し部の空間の中心に近い略半分の幅部分であって、使用者の首に直接当たることになる部分をいう。該首あたり部に、綿やタオル地等の中地素材を詰めて封止しても良く、首当たりの快適性が高まる。
前記輪状のゴム紐とは、前記首通し部の円の直径とほぼ同じ長さを有する、洋裁に用いられる標準的な弾性力の丸ゴム、肌着用ゴム等をいい、紐状のゴム紐の両端を縛る等して輪状にしても良いし、最初から輪状に形成されたゴム紐を使用しても良い。
【考案の効果】
【０００９】
第１考案に係るよだれ掛けは、成長の早い乳幼児の頭部及び首周囲長のサイズの変化や、複数の乳幼児間の使いまわしに柔軟に対応できるフリーサイズのよだれ掛けであり、よだれ掛け本体の全周をよだれや吐しゃ物、食べこぼしにより衣服を汚さないために使用可能とし、かつ、首通し部をゴム紐の弾性により伸縮自在とすることにより装着が容易にでき、さらに、乳幼児等の首への負担を軽減した構造となっている。
つまり、保護者等はよだれ掛けのサイズ、よだれ掛けの前後の向きの別を気にすることなく、首通し部のゴム紐を押し広げて乳幼児等の頭を通し、ゴム紐を離すだけでよだれ掛けを乳幼児等に容易に装着することができ、特に乳幼児等がよだれ掛けの装着を嫌がり、暴れて抵抗した場合に、この容易な装着性が効果を発揮する。
また、乳幼児等の首には、ゴム紐が通ったゴム通し部ではなく、首あたり部が当たる構造となっているため、乳幼児等の首へのゴム紐による圧迫等の負担が軽減される。
さらに、よだれ掛け本体の全周が使用可能であるため、首通し部のゴム紐をわずかに押し広げてよだれ掛けを回転させ、まだ汚れていない面を使用者の前面に持ってくることで、より長期の使用が可能となり、洗濯の頻度を下げることができる。
【００１０】
第２考案によれば、少なくとも表布と裏布の２枚以上の布地を合わせて縫合しよだれ掛け本体を形成することで、よだれ掛け本体の表裏両面に生地の表面がくることになり、よだれ掛けの両面が快適に使用可能となる。これにより、日によって異なる色、柄の面を使用し、また、軽度な汚れがついた表面を裏面に反転することで、洗濯することなく再使用することが可能となる利点がある。
第３考案によれば、前記当て布を形成する手段として、少なくとも２枚以上の布地を縫合して形成することで、１枚の当て布を略Ｖ字状に折り、該Ｖ字状の開口に前記よだれ掛け本体の首通し部縁を挟み込んで縫合する手間を簡易化し、製作コストを抑えることができる利点がある。つまり、少なくとも２枚以上の当て布用の布地でよだれ掛け本体の首通し部縁を挟み、当て布用の布地同士及び当て布用の布地とよだれ掛け本体の布地を縫合すればよく、製作工程が簡易になる。
また、前記当て布を形成する手段として、少なくとも２枚以上の布地の首あたり部の端面を内側に折り込んで縫合して形成した場合、首あたり部には少なくとも４重以上の当て布生地が使用されることとなり、首あたりの快適性が高まるという利点がある。
第４考案によれば、前記よだれ掛け本体及び／又は首あたり部に中地素材を詰めて封止することで、よだれ掛け本体の吸水性や防寒性を高め、首当たりの快適性が高まるという利点がある。
【図面の簡単な説明】
【００１１】
【図１】本考案の一実施形態に係るよだれ掛けの平面図である。
【図２】本考案の一実施形態に係るよだれ掛けの底面図である。
【図３】本考案の一実施形態に係るよだれ掛けの製作素材の展開図である。
【図４】本考案の一実施形態に係るよだれ掛けの首通し部縁と当て布部の拡大図である。
【図５】本考案の一実施形態に係るよだれ掛けの使用状態図である。
【考案を実施するための最良の形態】
【００１２】
以下、本考案の実施の形態を図面に基づいて説明する。
図１は本考案の一実施形態に係るよだれ掛けの平面図、図２は底面図、図３は製作素材の展開図、図４は首通し部縁と当て布部の拡大図、図５は使用状態図である。
【実施例１】
【００１３】
図１の平面図に示すように、本考案に係るよだれ掛けは、略円状の空間からなる首通し部１０と、該首通し部から放射状に広がるように形成された略輪状のよだれ掛け本体１とからなる。前記よだれ掛け本体１は、表布１１により構成されている。前記よだれ掛け本体１の首通し部縁には、表当て布１３ａが当てられ、前記首通し部縁に沿って環状に縫合されている。さらに前記表当て布１３ａは、首通し部の空間の中心に近い略半分の幅部分からなる表あて布首あたり部１３ｂに分かれるように縫合して形成されている。
本実施例で想定する各部のサイズは、首通し部１０の円の直径は約２４センチメートル、略輪状のよだれ掛け本体１の布幅は約１３センチメートルである。
図１において、前記首通し部１０は、図外の輪状ゴム紐１６に表当て布１３ａが引っ張られ縮んだ状態となっているため、首通し部の円の直径は約８センチメートルとなっている。より具体的には、輪状ゴム紐１６の周長が約２５センチメートル、輪状ゴム紐１６が形成する円の直径が約８センチメートルであり、この輪状ゴム紐１６に表当て布１３ａが引っ張られ、前記首通し部１０の中心方向に向かって縮んでいるものである。
よだれ掛け本体を形成する素材としては、ガーゼ、タオル地等が肌触りの面から好ましく、ガーゼは通気性に優れ、タオル地は吸水性に優れる。
【００１４】
図２の底面図に示すように、本考案に係るよだれ掛けの裏面は表面と同様に、略円状の空間からなる首通し部１０と、該首通し部から放射状に広がるように形成された略輪状のよだれ掛け本体１とからなる。前記よだれ掛け本体１は、裏布１２により構成されている。前記よだれ掛け本体１の首通し部縁には、裏当て布１４ａが当てられ、環状に縫合されている。さらに前記裏当て布１４ａは、首通し部の空間の中心に近い略半分の幅部分からなる裏あて布首あたり部１４ｂに分かれるように縫合して形成されている。
図２の底面図に示すように、本考案に係るよだれ掛けは両面対称であって、前記表布１１と裏布１２という呼称は説明のための便宜的なものであり、その差は縫製をどちらの面から行うか程度でしかない。
【００１５】
図３の製作素材の展開図に示すように、本考案に係るよだれ掛けは、略円状の空間からなる首通し部１０を有する、略輪状の表布１１と裏布１２とを合わせ、さらに布幅約２センチメートルの表当て布１３ａと裏当て布１３ｂを、略円状の空間からなる首通し部１０の縁に沿って環状に当て、該表当て布１３ａと裏当て布１３ｂとの間に、前記首通し部の円の直径とほぼ同じ長さからなる輪状ゴム紐１６を封入して形成される。
前述のように本実施例で想定する各部のサイズは、首通し部１０の円の直径は約２４センチメートル、略輪状のよだれ掛け本体１の布幅は約１３センチメートルである。輪状ゴム紐１６の周長は約２５センチメートル、輪状ゴム紐１６が形成する円の直径は約８センチメートルである。
【００１６】
図４の首通し部縁と当て布部の拡大図に示すように、前記表当て布１３ａと裏当て布１４ａはさらに、前記よだれ掛け本体１に近い略管状の空間からなるゴム通し部１５と、前記よだれ掛け本体１から遠い、表あて布首あたり部１３ｂと裏あて布首あたり部１４ｂとに分かれるように縫合して形成され、前記ゴム通し部１５には、前記首通し部の円の直径とほぼ同じ長さからなる輪状ゴム紐１６が封入されている。
本図においては、当て布１３ａと裏当て布１４ａの端部を内側に織り込んで縫製を行っている。このことにより、表あて布首あたり部１３ｂと裏あて布首あたり部１４ｂの使用者への装着感を向上させ、また、完成時の縫製の見栄えを向上させているが、もちろん端部を折り込まずに縫製を行っても、本発明の目的は達成できる。
【００１７】
図５の使用状態図に示すように、よだれ掛け本体１は、乳幼児等の使用者の首に、首通し部１０を通した状態で使用される。
本実施例に係るよだれ掛けは、成長の早い乳幼児の頭部及び首周囲長のサイズの変化や、複数の乳幼児間の使いまわしに柔軟に対応できるフリーサイズのよだれ掛けであり、よだれ掛け本体１の全周をよだれや吐しゃ物、食べこぼしにより衣服を汚さないために使用可能とし、かつ、首通し部１０を輪状ゴム紐１６の弾性により伸縮自在とすることにより装着が容易にでき、さらに、乳幼児等の首への負担を表あて布首あたり部１３ｂと裏あて布首あたり部１４ｂとにより軽減した構造となっている。
つまり、保護者等は首通し部１０を押し広げて使用者である乳幼児等の頭を通して、これを離す。すると、輪状ゴム紐１６の弾性により首通し部１０は使用者の首部に密着され、よだれ掛けを使用者である乳幼児等に容易に装着することができる。
また、乳幼児等の首には、ゴム紐が通ったゴム通し部１５ではなく、表あて布首あたり部１３ｂと裏あて布首あたり部１４ｂが当たる構造となっているため、乳幼児等の首へのゴム紐による圧迫等の負担が軽減される。
さらに、よだれ掛け本体１の全周及び表裏両面が使用可能であるため、首通し部１０をわずかに押し広げてよだれ掛けを回転させ、まだ汚れていない面を使用者の前面に持ってきたり、軽度な汚れがついた表面を裏面に反転することで、洗濯することなく再使用することででき、より長期の使用が可能となり、洗濯の頻度を下げることができる。表裏両面が使用できることにより、日によって異なる色、柄の面を使用できるという利点もある。
【符号の説明】
【００１８】
１        よだれかけ本体
１０      首通し部
１１      表布
１２      裏布
１３ａ    表あて布
１３ｂ    表あて布首あたり部
１４ａ    裏あて布
１４ｂ    裏あて布首あたり部
１５      ゴム通し部
１６      輪状ゴム紐
【図１】
0003188246.tif 000003
【図２】
0003188246.tif 000004
【図３】
0003188246.tif 000005
【図４】
0003188246.tif 000006
【図５】
0003188246.tif 000007
【手続補正書】
【提出日】平成25年10月30日(2013.10.30)
【手続補正１】
【補正対象書類名】実用新案登録請求の範囲
【補正対象項目名】請求項１
【補正方法】変更
【補正の内容】
【請求項１】
略円状の空間からなる首通し部と、該首通し部から放射状に広がるように形成された略輪状のよだれ掛け本体とからなる、よだれ掛けであって、
前記首通し部の円の直径は１５センチメートル以上３０センチメートル以下であり、
前記よだれ掛け本体の首通し部縁に布幅１．５センチメートル以上３センチメートル以下の当て布を当てて環状に縫合し、
該当て布はさらに、前記よだれ掛け本体に近い略管状のゴム通し部と、前記よだれ掛け本体から遠い首あたり部とに分かれるように縫合して形成され、
前記ゴム通し部には、前記首通し部の円の直径とほぼ同じ長さからなる輪状のゴム紐が封入されていることにより、
前記首通し部が伸縮自在であることを特徴とする、よだれ掛け。
【手続補正２】
【補正対象書類名】実用新案登録請求の範囲
【補正対象項目名】請求項４
【補正方法】変更
【補正の内容】
【請求項４】
前記よだれ掛け本体及び／又は首あたり部に中地素材を詰めて封止したことを特徴とする、請求項１乃至３の少なくとも何れか一項に記載のよだれ掛け。